(57)【要約】【課題】パターヘッドが簡単な構造で良好な打球感が得られ、且つ形状の自由度が大きく製造が容易であり、更に目標線に対してフェースを直角に合わせる操作が容易なパターを提供する。【解決手段】アクリル樹脂により形成したパターヘッド１１と、パターヘッド１１に固定したシャフト４とによりパターを構成する。【選択図】図１
2006075267.tif 000002
【特許請求の範囲】
【請求項１】
アクリル系樹脂により形成したパターヘッドと、該パターヘッドに固定したシャフトとからなることを特徴とするパター。
【請求項２】
前記パターヘッドがウェイト部材を備えたことを特徴とする請求項１記載のパター。
【請求項３】
前記パターヘッドが透明のアクリル系樹脂で形成されたことを特徴とする請求項１又は２記載のパター。
【請求項４】
前記パターヘッドのソールを含む下部にフェースと直角の打球方向指示線を備えたことを特徴とする請求項３記載のパター。
【請求項５】
前記パターヘッドのソールを含む下部と、パターヘッドの上面を含む上部とにフェースと直角の打球方向指示線を備えたことを特徴とする請求項３記載のパター。
【請求項６】
前記パターヘッドに、打球方向指示部材を備えたことを特徴とする請求項３又は４記載のパター。
【請求項７】
前記パターヘッドの内部にイメージ部材を備えたことを特徴とする請求項３〜６のいずれか１つに記載のパター。
【発明の詳細な説明】
【技術分野】
【０００１】
本発明は、ゴルフプレーにおいてパッティングに使用されるクラブであるパターに関するものである。
【背景技術】
【０００２】
パターは、ゴルフを競技する時に使用するゴルフクラブに含まれる打球用具の一つであるが、他のクラブは主としてゴルフボールをショットにより空中に浮上させて所定の飛距離を得ることを目的としているのに対し、パターは、主としてゴルフコースのグリーン上に埋設されたカップホールにゴルフボールを転がし入れるようにデザインされたクラブである。
【０００３】
一般に使用されているパターの多くは金属製であり、パターヘッド、シャフト、グリップにより構成されており、シャフトの長さ、パターヘッドの形状などは様々である。そして、パターを使用する際は、プレーヤーはグリーンの傾斜、芝目、カップホールまでの距離など、その時のあらゆる状況を把握して、どのようなラインでボールを転がし、どのくらいの距離感で打ったら良いかを自分で判断、決定し、それに従ってパッティングを行う。
【０００４】
パターによるショットは、各ホール（原則として１８ホールズ）のファイナル・ショットであり、方向性と力加減の微妙なフィーリングが要求され、従って最もメンタルな影響を強く受けるショットであると言われ、このためにアドレス（ゴルフボールを打つため、クラブをボールに接触させないでボールの後側にセットする構え）時にフェースを打球の目標線に対して直角に構えること、パットのスイング時にパターを打球の目標線に沿って平行に移動させること、インパクト時に想定した最適な力加減でボールをヒットすること等の幾つものチェックポイントに注意を払いながらパッティングを行っている。
【０００５】
従来から良く知られているパターには、図示しないがＴ型パター及びＬ型パターがある。このパターは、パターヘッドを前後の厚みが小さい板状部材によりＴ型或いはＬ型に形成したものであり、シンプルな形状を有している。一方、従来から使用されている伝統的なパターの１つとしてピンパターと呼ばれるものがある。
【０００６】
図２６〜図２８は上記ピンパターのパターヘッドの一例を表わしたものであり、この型式のパターは、打球を行うためのフェース１を備えた金属製のパターヘッド２と、ネック３と、シャフト４と、該シャフト４の先端のグリップ４ａ（図２７参照）とにより構成されている。ここで、ネック３はパターに必要な構成条件ではなく、備えていなくてもよい。
【０００７】
前記フェース１は、平面或いはわずかな凸面からなる滑かな面によって形成されており、このフェース１には、上部に対してソール８側が打球方向前方に突出するよう傾斜したロフト角を有するものが多用されている。前記フェース１の面上には、フェース１でボールＢを打った時に、最も効果的にエネルギーをボールＢに伝達することができる点であるスイート・スポットＳが存在している。
【０００８】
図２６、図２８に示した型式のパターヘッド２は、前記フェース１の背面におけるトウＴ側とヒールＨ側に厚みを厚くしたフランジ５，５が後方に向って突出するように一体に設けられていると共に、フランジ５，５間の下側に厚みが薄いソール部材６が一体に設けられることによって刳り貫き部７が形成されており、前記パターヘッド２とフランジ５，５とソール部材６の下面に連続したソール８が形成されている。
【０００９】
図２６、図２８のピンパターでは、パターヘッド２の重量をトウＴ側とヒールＨ側に集中的に配分することにより、従来から知られている前記Ｔ型パター及びＬ型パターに比してスイート・スポットＳのエリアを拡大させたスイートエリアＳ’を得ることができる。また、前記ピンパターでは、後部にフランジ５，５を備えたことにより従来から知られいる前記Ｔ型パター及びＬ型パターに比してフェース１から重心までの重心深度を大きくとることができ、これにより、パターヘッドの慣性モーメントを大きくすることができる。そして、前記重心深度は大きくとるほど、インパクト後のフォロースルーが真っ直ぐ出易いという利点がある。従って、前記ピンパターは、従来から知られているＴ型パター及びＬ型パターに比して「芯ずれ」等によるミスパットが生じ難く、使い易いために、特に初心者等に好んで用いられている。
【００１０】
一方、図２９に示すように、フェース１の後方に、台形、三角形、半円形、或いは半楕円形等の大きな後方延長部３０を備え、これによって前記図２６のピンパターよりも更に重心深度を大きくした後方延長型のパターヘッド２が提案されている。図２９のパターヘッド２は、フェース１の後方に台形の大きな後方延長部３０を有し、該後方延長部３０には、トウＴとヒールＨの中間部にフレーム部３１を残すように左右の開口３２を上下に貫通させて設けている。そして、前記フレーム部３１の上面には、スイート・スポットＳ（図２６参照）を通り且つフェース２と直交する線と平行な打球方向指示線３３を設けている。
【００１１】
一般に、ハンマー型のパターヘッドはボールの転がり性等の打球性能面で優れているとされているが、パターヘッドはフェースの長さ（トウとヒール間の長さ）が、打球方向の長さ（フェースと後端までの長さ）より大きくなければならない、というルール上の制約からハンマー型のパターヘッドは採用することはできず、そのため、図２９に示すように後方延長部３０を備えたパターヘッド２とすることによって打球性能をハンマー型のパターヘッドに近付けることが行われている。
【００１２】
上記図２６及び図２９に示すパターを用いて実際にパッティング（以下パットと称す）を行う方法について、図２６のピンパターを用いた場合を例に取って図２７、図２８により説明する。
【００１３】
図２７、図２８に示す如く、グリーン上に停止したボールＢを、パットによりグリーン上に形成されたカップホール９にカップ・インさせるためには、先ずパターのグリップ４ａを握ってパターヘッド２がカップホール９に対してボールＢの後方に位置するようにアドレスする。この時、フェース１のスイート・スポットＳが、ボールＢをカップホール９に転がし入れるための目標線１０の延長上に位置するように位置合わせすると共に、フェース１が前記目標線１０に対して直角になるようにフェース１の向きを合わせる。このとき、目標線１０はゴルファーがボールＢの転がりを予想してグリーン上に描く想像線であり、この目標線１０はグリーンの傾斜、芝目等によって右曲り１０ａ、左曲り１０ｂといった曲りも予想する必要があり、このように予想した目標線１０（或いは１０ａ，１０ｂ）に対してパターヘッド２の位置やフェース１の向きを合わせる。
【００１４】
続いて、ボールＢからカップホール９までの距離を考慮して所要のストロークでバックストロークを行い、続いて、フォワードストロークによる打球方向へのスイングによってボールＢをフェース１のスイート・スポットＳでヒット（インパクト）して、ボールＢをカップホール９に向って転がすようにしている。
【００１５】
このように、パターを用いてパットを行う際には、アドレス時にボールＢの目標線１０とスイート・スポットＳが一致しているか、フェース１が目標線１０に対して「直角」になっているかを慎重にチェックし、且つボールＢからカップホール９までの距離を考慮してストロークの大きさを決め、更にボールＢをインパクトする時にフェース１と目標線１０との直角が維持されるように、バックストローク、フォワードストローク、インパクト、フォロースルー等を研究して、練習、実践を行っている。
【００１６】
上記パットにおいて、ボールＢからカップホール９までの距離が長いロングパットの場合には、通常は２回のパットでカップ・インさせることを目標としているので、距離を合わせる感覚が重要となり、方向性については比較的平易な気持ちでアドレスしてパットを行うことができる。
【００１７】
一方、ボールＢとカップホール９の距離が３０ｃｍ〜１２０ｃｍ程度と短いショートパットの場合には、「入って当然」「外したくない」という自己期待感によるプレッシャー、恐怖感が強くなることにより体が硬直化し、フェースの向きのずれ、芯ずれ、不適当な打球強度等によるミスパットが生じ易くなるという問題がある。
【００１８】
即ち、目標線１０に対してフェース１の向きを「直角」に合わせることは元々感覚的なものであって確めようのない不確実なものであり、従ってこのような不確実なことに神経を集中し過ぎると体が硬直化し、そのために腕の振りが予想に反した動きとなってミスパットを生じ易い。
【００１９】
更に、ボールＢの曲り等を予測した目標線１０（或いは１０ａ，１０ｂ）に対して、パッティングストロークの動作中にパターヘッド２の動き及びそれに伴うフェース１の向きを確認しようとした場合には、その間中目線を動かすことになリ、よって、ボールＢに集中することができず、体が動いてしまう原因になる。又、フェース１が目標線１０に対して直角になっているか否かが不安で自信がもてないままバックストローク動作に入ってしまった場合には、フォワードストローク動作からインパクトに移る直前で、フェース１の向きが違っていると感じて手首や体で修正するという動きをしてしまうことがある。
【００２０】
このように体が動いてしまったり手首を捏ねる動作が生じた場合には、フェース１の向きが変ることによりミスパットを生じ易くなる。例えば、パット時に開いて閉じるような打ち方の人はしっかりヒットしようとして「引っかけ」を生じ易く、又、閉じて開くような打ち方の人は押し出すようなインパクトによる「プッシュアウト」を生じ易くなり、このためにボールＢの転がり方向がカップホール９から大きく外れてしまう場合がある。
【００２１】
更に、上記したように体が動いてしまったり手首を捏ねる動作をした場合には、目標線に対してスイート・スポットの位置がずれてしまう「芯ずれ」も生じ易くなり、前記したようにフェース１の向きが変ってしまうこと、更に、硬直化により思った通りのパットスイングができないこと等が要因となって、極めて短い距離であってもボールＢをしっかりヒットすることができずに「ショート」してしまったり、或いは逆に「ショート」することを虞れて大きく「オーバー」してしまうといったミスを生じることになる。
【００２２】
また、前記したようにボールＢの目標線１０にスイート・スポットＳを合わせること、及び、目標線１０に対してフェース１の向きを「直角」に合わせることに神経を集中し過ぎて、パターヘッド２の上下高さ（グリーン面とソール８との間隔）の調整が疎かになり、このために「ダフり」或いは「トップ」といったミスを生じることがある。
【００２３】
このように、パットにおいては、アドレス時に、目標線１０に対してフェース１を直角に合わせようとすればする程、目の錯覚で直角が狂っているように感じてしまい、このように確かめようもない不確かな事柄に過度に神経を集中するためにプレッシャーが掛かり、よって体が硬直化してバックストロークからフォワードストローク及びインパクトの一連の動作が安定して行えなくなり、これによってミスパットが誘発されることが多い、と言える。
【００２４】
従って、目標線１０に対してフェース１の向きを直角に合わせる操作が容易なパターが従来から望まれていた。
【００２５】
一方、パターには、ボールをヒットしたときのボールの転がり性（ヒットの強さと転がり距離との関係、直進性）が要求され、このためにパターヘッドは重量、体積（形状）、及びウェイトバランス等を考慮して設計している。パターヘッドの重量は一般に３５０ｇ前後が適当とされており、従って市販のパターにおける殆んどのパターヘッドは３５０ｇ前後に設計されている。
【００２６】
このとき、前述したＴ型パター及びＬ型パターのパターヘッドは金属の板状部材にて形成しているために、３５０ｇ前後の重量に形成することは容易である。しかし、前記図２６に示したピンパターのパターヘッド２、或いは図２９に示した後方延長型のパターヘッド２では、中実の金属を用いて製作しようとした場合重量が過大になってしまう。このために、前記図２６及び図２９に示すパターヘッド２では、刳り貫き部７や開口３２或いは空洞を設けて各部の肉厚等を調節したり、或いは軽量の材料と組み合わせて構成する等によって、パターヘッド２が所要の形状を有してしかも３５０ｇ前後の重量になるように工夫している。
【００２７】
しかし、図２６、図２９に示したように、パターヘッド２の形状を後方に延長してパターヘッド２の性能を高めるためには、前記したように刳り貫き部７や開口３２或いは空洞を設けてパターヘッド２の重量を調節したり、或いは軽量の材料と組み合わせて構成する必要があるため、パターヘッド２の構造が複雑化して製造が大変になりコストが増加するという問題がある。更に、前記したように重量を調節するために刳り貫き部７や開口３２或いは空洞を設ける必要性から形状を自由に選定することができず、設計できる形状の範囲が狭く制限されるため、デザイン上の問題も有する。
【００２８】
又、パターには、ボールを芯でヒットしたときの打球感（心地良さ）が重要なファクターとして要求される。この打球感はパターヘッドの素材によって大きく変化するため、種々の素材を用いてパターヘッドを構成することが試みられている。更に、パターには前記したようにボールの転がり性（ヒットの強さと転がり距離、直進性）も要求される。
【００２９】
これに対して、図２６、図２９に示した如くパターヘッド２の形状を後方に延長して重心深度を深くしたパターによれば、慣性モーメントが大きくなることから前記したようにインパクト後のフォロースルーが真っ直ぐ出易なり比較的良好なボールの転がり性を得ることができるが、一方では打球感が鈍くなり、そのために微妙なタッチが出し難いという問題がある。又、図２６、図２９に示したように、パターヘッド２に刳り貫き部７や開口３２或いは空洞等を設けて複雑な構成とした場合にはヒットした時に不快な振動を生じる場合がある。
【００３０】
従って、パターヘッドの形状を自由に選定することができ、しかも良好な打球感が得られるパターが従来から望まれていた。
【００３１】
特許文献１には、フェースの向きを目標線に対して直角に合わせ易くするために、パター重心を通りフェースに直角に向かう直線を想定し、この直線を含む鉛直面がパターの上面と交差する位置に、間隔をおいて２個の目標点を設けたものが開示されている。
【特許文献１】特開２００４−２４３１７号公報
【発明の開示】
【発明が解決しようとする課題】
【００３２】
しかし、特許文献１に開示されたようにパター上面の２個所に目印点を設けてこの目印点を目標線に合わせるようにした方式、或いは従来から一般に用いられているように、パターヘッドの上面に打球方向指示線を設けてこの打球方向指示線を目標線に合わせるようにした方式においては、何れも金属製のパターヘッドの上面に目印点や打球方向指示線を形成する方式であるために、次のような問題点を有していた。
【００３３】
即ち、打球の目標線はグリーンの芝面上に想定するものであるのに対し、前記目印点或いは打球方向指示線はパターヘッドの上面に位置しているために高さにずれがあり、この高さのずれのために、アドレスした時に目の錯覚によって目印点或いは打球方向指示線を目標線に合わせることが非常に難しくなる。従って、自信をもてない不確かな事柄に過度に神経を集中することになるためにプレッシャーが掛かって体が硬直化し、或いはパッティングストロークの動作中にパターヘッド２の向きを確認しようとして体が動くことによってミスパットが生じ易くなるという問題がある。
【００３４】
又、図２９のように金属製のパターヘッド２の形状を後方に延長することによって転がり性能を高めるようにした従来のパターヘッド２では、打球感が鈍くなり、そのために微妙なタッチが出し難くなって「心地良い」打球感を得ることはできなかった。一方、良好な打球感を得るために、金属製のパターヘッドのフェースに別の材料を固定するようにしたものもあるが、この場合には構造が複雑になると共に、デザイン上の問題を生じることになる。
【００３５】
本発明は、上記実情に鑑みてなしたもので、パターヘッドのフェースを目標線に対して直角に合わせる操作が容易になり、パターヘッドの形状を自由に設計することができ、パターヘッドの構成を簡略化して製造を容易にすることができ、パターヘッドの打球感を著しく向上することができるパターを提供することを目的としてなしたものである。
【課題を解決するための手段】
【００３６】
請求項１に係る発明は、アクリル系樹脂により形成したパターヘッドと、該パターヘッドに固定したシャフトとからなることを特徴とするパターである。
【００３７】
前記手段において、前記パターヘッドはウェイト部材を備えていてもよい。
【００３８】
又、前記パターヘッドが透明のアクリル系樹脂で形成されていることは好ましい。
【００３９】
又、前記透明のパターヘッドのソールを含む下部にフェースと直角の打球方向指示線を備えていることは好ましい。
【００４０】
又、前記透明のパターヘッドのソールを含む下部と、パターヘッドの上面を含む上部とにフェースと直角の打球方向指示線を備えていることは好ましい。
【００４１】
又、前記パターヘッドに、打球方向指示部材を備えていてもよい。
【００４２】
又、前記パターヘッドの内部にイメージ部材を備えていてもよい。
【発明の効果】
【００４３】
本発明のパターによれば、パターヘッドをアクリル系樹脂で形成したことにより、通常の金属製のパターヘッドと比較して心地よい良好な打球感が得られると共に、良好なボールの転がり性を発揮することができ、よってパッティング練習を繰返しても疲れ難いという効果がある。
【００４４】
更に、アクリル系樹脂によるパターヘッドの成形は製造が容易であり、しかもパターヘッドを好適な形状とした時の重量が好適となり、よってデザインを自由に設計することが可能になり、シンプルな形状によって優れた打球性能も発揮できる効果がある。
【００４５】
又、パターヘッドを透明なアクリル系樹脂で形成することにより、打球方向指示線をパターヘッドの底部を含む内部に配置しても透視することができるので、打球方向指示線をパターヘッドの底部に近い位置に配置すると、打球方向指示線を芝面上に想定した目標線に合わせ易くなり、目標線に対してフェースを直角に合わせる操作が容易になる効果がある。
【００４６】
又、パターヘッドに、連続した或いは不連続の打球方向指示部材を設けると、打球方向指示部材でボールをヒットするイメージになることにより「芯ずれ」によるミスパットを低減することができ、更に、打球方向指示部材を打球方向指示線として芝面上に想定した目標線に合わせ易くなり、目標線に対してフェースを直角に合わせる操作が容易になる効果がある。
【００４７】
又、ソールを含む下部と上面を含む上部とに打球方向指示線を配置すると、スイート・スポットが目の真下になるようにボールに対する前後の立ち位置を容易に調整できる効果がある。
【発明を実施するための最良の形態】
【００４８】
以下、本発明の実施の形態を添付図面を参照して説明する。
【００４９】
図１〜図３は本発明のパターの形態の一例を示すもので、図中、図２６と同じ作用部には同じ符号を付している。図１〜図３において、１１はパターヘッドであり、このパターヘッド１１は透明、半透明或いは不透明のアクリル系樹脂によって形成されている。アクリル系樹脂は、アクリル酸又はアクリル酸構造誘導体で製造された重合体、又は他の単量体とそれらの共重合体であり、ブタジエン、スチレン等を含有してもよいが、アクリル単量体が質量で最大量存在しているものを主成分とするものである。
【００５０】
図１〜図３のパターヘッド１１は平面形状が略台形の板状を有し、台形の平行な辺の長い側の辺にはフェース１が形成されている。該フェース１は図１、図２では平坦面となっており、上面１１ａ側に対してソール８側が打球方向前方に突出するよう傾斜したロフト角を有している。フェース１はスイート・スポットＳがわずかに突出するように滑かな曲面で形成されていてもよい。
【００５１】
図２、図３に示すパターヘッド１１では、フェース１から後端側に向かってソール８が削り取られて厚さが薄くなっており、又、パターヘッド１１のソール８のトウ側とヒール側も削り取られた形状となっている。尚、前記パターヘッド１１の形状は、図示の台形に限定されるものではなく三角形、半円形、半楕円形等、種々の形状を採用することができる。パターヘッド１１の所要の位置にはシャフト４の下端が固定されている。シャフト４をパターヘッド１１に固定する方法としては、従来と同様にパターヘッド１１に形成した固定孔に接着剤を用いて固定したり、或いはパターヘッド１１にシャフト４をねじ込んで固定するようにしてもよい。
【００５２】
図３ではパターヘッド１１にシャフト４を固定する方法の一例を示している。のこ固定方法では、内部にフランジ部２２を備えて固定空間２３ａと止め部空間２３ｂを形成した固定部材２３をパターヘッド１１に一体に設けている。又、薄肉を有しているシャフト４の端部内側には、ネジ穴２４を有する固定部材２５が一体に固定されている。そして、前記シャフト４の端部を前記固定空間２３ａに上部から挿入し、止め部空間２３ｂの下部からフランジ部２２に備えた開口２６を通して固定部材２５のネジ穴２４にボルト２７を締め付けることにより、パターヘッド１１にシャフト４を固定している。このとき、固定空間２３ａとシャフト４との間に互いに嵌合可能な凹凸部を設けたり、或いは互いの形状を楕円形、四角形、三角形等として嵌合させることにより、シャフト４がパターヘッド１１に対して回転しないようにすることは好ましい。
【００５３】
図３に示すように、ボルト２７を用いてシャフト４をパターヘッド１１に固定する方式によれば、パターヘッド１１に対してシャフト４を容易に交換することができるようになる。
【００５４】
更に、前記パターヘッド１１のフェース１と反対の後端面には、金属等のウェイト部材１３がボルト等の固定具１４によって固定されている。ウェイト部材１３は、パターヘッド１１の任意の位置に直接貼り付けて固定してもよい。前記パターヘッド１１が充分な重量を有している場合には前記ウェイト部材１３は備えなくてもよいが、パターヘッド１１の重量を増加する必要がある場合、より重心深度を深めたい場合、或いはトウ・ヒールバランスをする必要がある場合には、ウェイト部材１３を備えることができる。このウェイト部材１３は、図１、図２の如くパターヘッド１１に対して外部から固定してもよいが、パターヘッド１１の内部に一体に埋め込んで配置してもよい。
【００５５】
前記パターヘッド１１は透明、半透明、或いは不透明のアクリル系樹脂を用いて形成することができ、また、着色材を混合する或いは着色剤を塗布することによって任意の色に着色したものとすることができる。
【００５６】
前記パターヘッド１１を透明、或いは透明に近い半透明とした場合には、図１、図３に示す如く、スイート・スポットＳを通りフェース１と直交する鉛直面内のソール８を含む下部に、打球方向指示線１５を設けることができる。このとき、打球方向指示線１５は、パターヘッド１１のソール８に溝を刻設することによっても形成でき、又、線条材等をパターヘッド１１の内部に一体に埋めこむことによっても形成できる。一方、打球方向指示線１５としては、パターヘッド１１のソール８に所要の間隔で複数の点を一直線に刻設したり、或いは、パターヘッド１１の内部に所要の部材を一直線に点状に並べて配置してもよく、このような点の配置によっても打球方向を指示できるので打球方向指示線１５とすることができる。
【００５７】
次に上記図１〜図３の形態の作用を説明する。
【００５８】
前記したように、アクリル系樹脂を用いてパターヘッド１１を形成するようにしたので、溶融したアクリル系樹脂を金型に充填して固化することにより任意の形状のパターヘッド１１を容易に製造することができる。又、大きな面積のアクリル系樹脂板を製造し、このアクリル系樹脂板を切断して加工することによってもパターヘッド１１を容易に製造することができる。
【００５９】
前記アクリル系樹脂はその比重がパターヘッド１１に適しており、従ってパターヘッド１１に必要な体積（形状）を保持させたときの重量が好適になるという利点がある。例えばパターヘッドのフェースの長さを一般的なパターヘッドと同じ１００ｍｍ、パターヘッドの打球方向の長さをルール制限一杯の１００ｍｍ、パターヘッドの厚さを３０ｍｍとしたとき、アクリル系樹脂の比重を１．１９とすると、３００（容積）×１．１９（比重）＝３５７ｇとなり、一般に適当とされている３５０ｇ前後の重量となる。このとき、図１、図２に示したように、ウェイト部材１３を設けると容積、形状は任意に幅広く変更することができる。この時、金属の中では比重が小さく且つ汎用されているアルミニウムを用いて、前記と同じ容積のパターヘッドを製作した場合には、３００（容積）×２．２６（比重）＝６７８ｇとなってしまい、このために、前記したような刳り貫き部や開口或いは空洞等といった複雑な構成によって重量を調整する必要がある。従って、前記アクリル系樹脂によって構成したパターヘッド１１によれば、自由な形状のものを簡単に製造することができるようになる。
【００６０】
更に、前記パターヘッド１１は、ボールをヒットしたときに、通常の金属製のパターヘッドでは得られない「心地よい」爽快感を得ることができる。そして、驚くことに、パットの練習を繰返しても従来のような疲れを感じないという効果がある。これらの効果は、アクリル系樹脂がパターヘッド１１の材料として非常に適していることによると考えられる。即ち、アクリル系樹脂は、パターヘッド１１を形成した時の体積と重量の関係が好適にバランスし、このために単純無垢な簡略な構成にて図１に示すように後方延長部３０を備えた形状とすることができ、よって良好なボールの転がり性が得られると同時に、アクリル系樹脂自体の持つ好適な反発力によって心地よい優れた打球感が得られたものと考えられる。
【００６１】
一方、パターヘッド１１を透明なアクリル系樹脂で形成することにより、打球方向指示線１５をパターヘッド１１の自由な位置に配置して透視することができる。即ち、打球方向指示線１５をパターヘッド１１のソール８或いはソール８に近い下部に配置すると、芝面上に想定する目標線１０（図１９参照）と打球方向指示線１５が略同一の高さとなり、このために目標線１０と打球方向指示線１５とを一直線に合わせる操作が容易になるので、目標線１０に対してフェース１を直角に合わせる操作が容易になる。即ち、従来のように金属製のパターヘッドの上面に打球方向指示線等を形成している場合には、芝面上に沿って想定した目標線と打球方向指示線との間に高さのずれがあるために目の錯覚が生じ易く、そのために打球方向指示線を目標線に合わせることが難しいという問題を有していたのに対し、図３のように打球方向指示線１５をソール８に近い低い位置に配置すると、目標線１０に対して打球方向指示線１５を一直線に合わせる操作が簡単且つ平易な気持ちで行えるようになり、よって従来生じていた過度の集中によるプレッシャーを排除することができる。従って、目標線１０に対してフェース１を直角に合わせる操作が自信をもって行えるようになり、このために平易な気持ちでパッティングができ、ミスパットを大幅に低減することができる。
【００６２】
図４、図５は、本発明の他の形態を示すもので、パターヘッド１１の内部に、スイート・スポットＳを通りフェース１と直交する棒状の打球方向指示部材２８を設けている。この場合、打球方向指示部材２８でボールをヒットした際に良好な打球感を損なわないように、金属の筒の内部にアクリル系樹脂を挿入した打球方向指示部材２８をパターヘッド１１の内部に配置するか、又は、パターヘッド１１とは色が異なるアクリル系樹脂の棒をパターヘッド１１の内部に配置した構成とすることができる。
【００６３】
このように、パターヘッド１１の内部に、打球方向指示部材２８を設けると、打球方向指示部材２８が打球方向指示線の役割を果たすことできるので、目標線１０に対してフェース１を直角に合わせる操作が容易にできるようになると共に、棒状の打球方向指示部材２８でボールをヒットするイメージになるので芯合わせが容易になり「芯ずれ」によるミスパットを低減することができる。
【００６４】
図６、図７は本発明の更に他の形態を示しもので、パターヘッド１１内部におけるスイート・スポットＳを通りフェース１と直交する鉛直面内に、例えば球状を有する複数の打球方向指示部材２８ａを間隔を有して不連続に一直線に配置し、これにより、該打球方向指示部材２８ａが打球方向指示線を兼ねるようにしている。この形態の場合も、１列に配置された打球方向指示部材２８ａによって目標線１０に対してフェース１を直角に合わせる操作が容易になり、更に１列に配置された打球方向指示部材２８ａでボールをヒットするイメージになるので芯合わせが容易になり「芯ずれ」によるミスパットを低減することができる。
【００６５】
図８、図９は本発明の更に他の形態を示しもので、前記パターヘッド１１の内部におけるスイート・スポットＳを通りフェース１と直交する鉛直面内に、例えば平面が三角形状を有する複数の打球方向指示部材２８ｂを、夫々の１つの頂点がスイート・スポットＳの中心を向くように間隔を有して不連続に一直線に配置し、これにより、該打球方向指示部材２８ｂが打球方向指示線を兼ねるようにしている。この形態の場合も、１列に配置された打球方向指示部材２８ｂによって目標線１０に対してフェース１を直角に合わせる操作が容易になり、更に１列に配置された打球方向指示部材２８ｂでボールをヒットするイメージになるので芯合わせが容易になり「芯ずれ」によるミスパットを低減することができる。
【００６６】
図１０、図１１は、本発明の他の形態を示すもので、図１、図３と同様にスイート・スポットＳを通りフェース１と直交する鉛直面内のソール８を含む下部に打球方向指示線１５を設けると共に、前記鉛直面内のパターヘッド１１の上面１１ａを含む上部にも同様に打球方向指示線１６を設け、この上下の打球方向指示線１５，１６によってボールに対する前後の立ち位置を調整するための前後調整線１５ａ，１６ａを兼ねるようにしている。このとき、上下の打球方向指示線１５，１６は、同じ色で形成したり或いは異なった色で形成することができる。
【００６７】
前記上下の打球方向指示線１５，１６は、スイート・スポットＳを通りフェース１と直角の鉛直面内の上下に設けているので、これによる上下の前後調整線１５ａ，１６ａが重なった時が、ボールに対して前後の立ち位置が正しい位置であると判断することができる。又、正しい立ち位置であるのに上下の前後調整線１５ａ，１６ａが重ならない場合には、グリップの位置がボールに対して前方或いは後方にずれていると判断することができる。従って、アドレスした時にちょうど前後調整線１５ａ，１６ａが重なった状態になるように、ボールに対する前後の立ち位置を正しく調整する練習を行うことができる。尚、前記上下に設けた打球方向指示線１５，１６に代えて、フェース１と直角な鉛直面に板状の調整面部材を設けるようにしても、該調整面部材によって前後の立ち位置を調整することができる。
【００６８】
図１２、図１３は、前記図１０、図１１の形態の他の例を示すもので、図１２、図１３では１本の下部の打球方向指示線１５による前後調整線１５ａと、スイート・スポットＳを前後に挟む２本の上部の打球方向指示線１７，１８による前後調整線１７ａ，１８ａとを形成した場合を示している。この場合では、下部の前後調整線１５ａが上部の前後調整線１７ａ，１８ａの中間に位置する時が、ボールに対して前後の立ち位置が正しい位置であると判断することができる。
【００６９】
図１２、図１３の形態では、下部の打球方向指示線１５を目標線１０（図１９参照）に一致させる操作と、下部の前後調整線１５ａが上部の前後調整線１７ａ，１８ａの中間に位置するようにして前後の立ち位置が正しい位置になるように調整する操作の両方を行うことができる。尚、図１２、図１３の形態では下部の前後調整線１５ａを１本として上部に２本の前後調整線１７ａ，１８ａを設けた場合を示したが、これとは逆に、下部の前後調整線を２本として上部の前後調整線を１本とすることもできる。
【００７０】
図１４、図１５は本発明の更に他の形態を示したもので、パターヘッド１１のソール８を含む下部に、フェース１と平行且つ水平な下部の左右調整線１９を設けると共に、前記下部の左右調整線１９の鉛直上方におけるパターヘッド１１の上面１１ａを含む上部に、水平な上部の左右調整線２０を設けている。
【００７１】
図１４、図１５の形態によれば、上下の左右調整線１９，２０が重なった時が、右利きの人ではスイート・スポットＳが左目の真下に位置し、ボールに対して左右の立ち位置が正しい位置であると判断することができる。これによって、スイート・スポットＳが左目の真下になるように左右の立ち位置を調整する操作が容易にできるようになる。又、正しい立ち位置であるのに左右調整線１９，２０が重ならない場合には、グリップの位置がボールに対して打球方向前方或いは後方にずれていると判断することができる。図１４、図１５の形態において、前記図１〜図３の打球方向指示線１５を組み合わせて備えたり、或いは図１０、図１１の前後調整線１５ａ，１６ａ、図１２、図１３の前後調整線１５ａ，１７ａ，１８ａを組み合わせて備えることもできる。
【００７２】
図１６、図１７は、本発明の他の形態を示すもので、前記パターヘッド１１の内部の前後左右に、金属等によるウェイト部材１３ａ，１３ｂ、１３ａ’，１３ｂ’を設けている。
【００７３】
図１６、図１７の形態では、パターヘッド１１の内部にウェイト部材１３ａ，１３ｂ、１３ａ’，１３ｂ’を設けたので、パターヘッド１１の重量を任意に調節することができる。更に、トウＴ側に設けるウェイト部材１３ａ，１３ｂの重量とヒールＨ側に設けるウェイト部材１３ａ’，１３ｂ’の重量を調節することにより、トウ・ヒールバランスを自由に調節して拡大したスイートエリアＳ’を得ることができる。尚、上記では４個のウェイト部材１３ａ，１３ｂ、１３ａ’，１３ｂ’を設けた場合について示したが、ウェイト部材の設置数、形状、配置位置などは任意に変更することができる。
【００７４】
図１８〜図２０は、本発明の他の形態を示すもので、前記パターヘッド１１の底部に、金属等からなる底板３４を設けている。図１８に示す底板３４の平面形状は、フェース１に沿って延びた前部３４ａと、該前部３４ａの中間部から後方に延びた後部３４ｂとによって略Ｔ字形に形成されている。そして、前記底板３４の上面には、スイート・スポットＳを通りフェース１と直交する打球方向指示線１５が形成されている。
【００７５】
図１８〜図２０の形態では、パターヘッド１１の底部に金属等の底板３４を設けたので、底板３４がウェイト部材として作用し、パターヘッド１１の重量を任意に調節することができる。更に、前部３４ａにおけるトウＴ側とヒールＨ側の厚み或いは形状等を調節して重量を変えることにより、トウ・ヒールバランスを自由に調節して拡大したスイートエリアＳ’を得ることができる。尚、底板３４の形状は任意に変更することができる。
【００７６】
また、上記図１８〜図２０の形態では、金属等の底板３４に、シャフト４を固定するための固定部材２３を容易に一体に設けることができ、よってシャフト４の固定作業が容易になる。
【００７７】
図２１〜図２３は、前記図１８〜図２０の変形例を示すもので、パターヘッド１１の底部に設けるようにしている金属等の底板部３５ａと、該底板部３５ａからパターヘッド１１のフェース１と上面を除く外周面に延びた周壁部３５ｂを有する包囲板３５を設けている。
【００７８】
図２１〜図２３では、前記図１８〜図２０と同様の作用を発揮する上に、パターヘッド１１が包囲板３５によって包囲されているので、パターヘッド１１の強度を高めることができる。
【００７９】
図２４、図２５は、本発明の他の形態を示すもので、前記パターヘッド１１の内部に、イメージ部材２９を一体に埋め込んだ構成としている。パターヘッド１１の内部に埋め込むイメージ部材２９としては種々の形状、色のものを用いることができ、例えばハンマー型のイメージ部材を挿入すると、ハンマーでパットするイメージを得ることができ、又、緊張を和らげられるようにデザインされた種々の形状のものを挿入することもできる。上記イメージ部材２９は、前記打球方向指示線１５や前後左右の調整線１５ａ，１６ａ，１７ａ，１８ａ，１９，２０を邪魔しないように配置したり、或いは例えば色つき透明材によって打球方向指示線１５や前後左右の調整線１５ａ，１６ａ，１７ａ，１８ａ，１９，２０を邪魔しないように一緒に配置することができる。
【００８０】
更に又、前記パターヘッド１１内部には液体を充填することもできる。
【００８１】
上記した如く、本発明のパターによれば、パターヘッド１１をアクリル系樹脂で形成したことにより、打球感が著しく向上されると共に、打球性能を高めることができる。更に、パターヘッド１１をアクリル系樹脂で形成したことにより、製造が簡単になると共に好適な重量から形状を自由に選定できるのでパターヘッド１１のバリエーションを大幅に拡大することができる。
【００８２】
更に、透明のアクリル系樹脂を用いてパターヘッド１１を形成することにより、ソール或いは内部に配置したものを上部から透視することができ、従って下部に配置した打球方向指示線１５を目標線１０に対して一直線に合わせることが容易になり、目標線１０に対してフェース１を直角に合わせる操作が容易になる。更に、前後左右の調整線１５ａ，１６ａ，１７ａ，１８ａ，１９，２０によって前後、左右の立ち位置の調整もできるようになる。
【００８３】
更に、アクリル系樹脂のパターヘッド１１に対して、図１に示す如くウェイト部材１３を取り付ける、或いは図１６に示す如くウェイト部材１３ａ，１３ｂ、１３ａ’，１３ｂ’を内部に配置する、或いは図１８〜図２０の如く底板３４を設ける、或いは図２１〜図２３の如く包囲板３５を設けることにより、パターヘッド１１の重量を任意に調節することができ、且つ、トウＴ側とヒールＨ側の重量を調節してトウ・ヒールバランスを自由に選定することにより拡大したスイートエリアＳ’を得ることができる。
【００８４】
なお、本発明のパターは、上記した実施の形態に限定されるものではなく、本発明の要旨を逸脱しない範囲内において種々変更を加え得ることは勿論である。
【図面の簡単な説明】
【００８５】
【図１】本発明に係るパターにおけるパターヘッドの形態の一例を示す平面図である。
【図２】図１をＩＩ−ＩＩ方向から見た側面図である。
【図３】図１をＩＩＩ−ＩＩＩ方向から見た正面図である。
【図４】パターヘッドの他の形態を示す平面図である。
【図５】図４の正面図である。
【図６】パターヘッドの更に他の形態を示す平面図である。
【図７】図６の正面図である。
【図８】パターヘッドの更に他の形態を示す平面図である。
【図９】図８の正面図である。
【図１０】パターヘッドの更に他の形態を示す平面図である。
【図１１】図１０の正面図である。
【図１２】パターヘッドの更に他の形態を示す平面図である。
【図１３】図１２の正面図である。
【図１４】パターヘッドの更に他の形態を示す平面図である。
【図１５】図１４の側面図である。
【図１６】パターヘッドの更に他の形態を示す平面図である。
【図１７】図１６の正面図である。
【図１８】パターヘッドの更に他の形態を示す平面図である。
【図１９】図１８の正面図である。
【図２０】図１８の側面図である。
【図２１】パターヘッドの更に他の形態を示す平面図である。
【図２２】図２１の正面図である。
【図２３】図２１の側面図である。
【図２４】パターヘッドの更に他の形態を示す平面図である。
【図２５】図２４の正面図である。
【図２６】従来のピンパターにおけるパターヘッドの概略形状を表わす斜視図である。
【図２７】図２６のパターでパッティングを行う状態を示す平面図である。
【図２８】図２６のパターヘッド部の平面図である。
【図２９】従来の後方延長型のパターヘッドの一例を表わす斜視図である。
【符号の説明】
【００８６】
１  フェース
４  シャフト
８  ソール
１１  パターヘッド
１１ａ   上面
１３  ウェイト部材
１３ａ，１３ｂ、１３ａ’，１３ｂ’    ウェイト部材
１５，１６，１７，１８    打球方向指示線
２８、２８ａ，２８ｂ    打球方向指示部材
２９  イメージ部材
３４  底板（ウェイト部材）
３５  包囲板（ウェイト部材）
【図１】
2006075267.tif 000003
【図２】
2006075267.tif 000004
【図３】
2006075267.tif 000005
【図４】
2006075267.tif 000006
【図５】
2006075267.tif 000007
【図６】
2006075267.tif 000008
【図７】
2006075267.tif 000009
【図８】
2006075267.tif 000010
【図９】
2006075267.tif 000011
【図１０】
2006075267.tif 000012
【図１１】
2006075267.tif 000013
【図１２】
2006075267.tif 000014
【図１３】
2006075267.tif 000015
【図１４】
2006075267.tif 000016
【図１５】
2006075267.tif 000017
【図１６】
2006075267.tif 000018
【図１７】
2006075267.tif 000019
【図１８】
2006075267.tif 000020
【図１９】
2006075267.tif 000021
【図２０】
2006075267.tif 000022
【図２１】
2006075267.tif 000023
【図２２】
2006075267.tif 000024
【図２３】
2006075267.tif 000025
【図２４】
2006075267.tif 000026
【図２５】
2006075267.tif 000027
【図２６】
2006075267.tif 000028
【図２７】
2006075267.tif 000029
【図２８】
2006075267.tif 000030
【図２９】
2006075267.tif 000031